(57)【要約】【課題】送風される空気の速度を速めて、かつ広範囲に送風することができる送風装置を提供する。【解決手段】送風装置１は、送風機と、送風経路５２を規定するダクト４と、ダクト４の開口端部近傍に設けられ、ダクト４から送風される空気の向きを調整する風向調整部とを備えるものである。風向調整部は、送風下流側に向かって延在するとともに、互いに離間して対向配置される第１風向調整板部および第２風向調整板部を含む。第１風向調整板部および第２風向調整板部は、送風下流側に向かうにつれて第１風向調整板部と第２風向調整板部との間の隙間が狭くなるように傾斜して配置されるとともに、送風下流側に向かうにつれて幅が狭くなるように設けられる。風向調整部は、送風装置１からの送風方向が変化するように回動可能に構成されている。【選択図】図４
2015075309.tif 000002
【特許請求の範囲】
【請求項１】
送風機と、
前記送風機によって送出される空気を外部に向けて送風するための送風経路を規定するダクトと、
前記ダクトの送風下流側の開口端部近傍に設けられ、前記ダクトから送風される空気の向きを調整する風向調整部とを備えた送風装置であって、
前記風向調整部は、送風下流側に向かって延在するとともに、互いに離間して対向配置される第１風向調整板部および第２風向調整板部を含み、
前記第１風向調整板部および前記第２風向調整板部は、送風下流側に向かうにつれて前記第１風向調整板部と前記第２風向調整板部との間の間隔が狭くなるように傾斜して配置されるとともに、送風下流側に向かうにつれて幅が狭くなるように設けられ、
前記風向調整部は、前記送風装置からの送風方向が変化するように回動可能に構成されている、送風装置。
【請求項２】
前記風向調整部を回動させるための駆動機構をさらに備え、
前記風向調整部は、前記駆動機構によって前記第１風向調整板部および前記第２風向調整板部の幅方向と平行な方向に延びる軸線を中心軸として回動する、請求項１に記載の送風装置。
【請求項３】
前記第１風向調整板部および前記ダクトの間の隙間から空気の漏れを防ぐための第１漏気防止板と、
前記第２風向調整板部および前記ダクトの間の隙間から空気の漏れを防ぐための第２漏気防止板と、
前記第１漏気防止板および前記第２漏気防止板を互いに近づける方向に付勢する付勢機構とをさらに備え、
前記第１漏気防止板および前記第２漏気防止板のそれぞれは、前記付勢機構によって付勢されることにより前記ダクトとの間の隙間を覆いながら前記風向調整部の回動に連動して移動する、請求項１または請求項２に記載の送風装置。
【請求項４】
前記風向調整部を回動させるための駆動機構をさらに備え、
前記風向調整部は、前記駆動機構によって前記開口端部の開口面の法線が延在する方向と平行な方向に延びる軸線を回動中心として回動する、請求項１に記載の送風装置。
【請求項５】
イオンを発生するイオン発生器を前記送風経路にさらに備えた、請求項１から請求項４のいずれか１項に記載の送風装置。
【発明の詳細な説明】
【技術分野】
【０００１】
本発明は、送風装置に関し、特に、ダクトから送風される空気の向きを調整する風向調整部を備え、当該風向調整部によって送風範囲を変更することができる送風装置に関する。
【背景技術】
【０００２】
従来、送風範囲を変更可能な送風装置が種々開発されている。この種の送風装置は、送風経路内において送風方向と交差する方向に設けられた回転軸に複数枚の風向板を取り付けて、風向板を回転させることにより送風範囲を変更することができる。
【０００３】
送風範囲を変更しつつ、送風経路内の風速分布を均一にすることが可能な送風装置が開示された文献として、たとえば特開２０１１−７５２０１号公報（特許文献１）が挙げられる。
【０００４】
特許文献１に開示の送風装置は、吸込口および吹出口を有する本体ケースと、当該本体ケース内に設けられた送風手段とを備え、当該送風手段は、羽根車と、当該羽根車を駆動するモータと、当該羽根車から送られた空気を吹出口へと供給するファンケーシング（送風経路）とによって形成される。ファンケーシング内には、風速分布を均一化する風向板と、風向変更ユニットとが設けられている。風向変更ユニットは、風向板に設けられた貫通孔に挿入される回転軸と、当該回転軸に回転可能に支持される風向変更板とを含む。
【０００５】
風向板によって送風経路内を流れる空気の風速分布を一定にした上で、風向変更板を回転させることによって送風範囲を変更することにより、風速分布が一定でない場合に送風できなかった範囲にまで送風範囲を拡大することができる。
【先行技術文献】
【特許文献】
【０００６】
【特許文献１】特開２０１１−７５２０１号公報
【発明の概要】
【発明が解決しようとする課題】
【０００７】
しかしながら、特許文献１に開示の送風装置にあっては、送風手段に近づくように形成されたファンケースの舌部と反対側に位置するファンケースの側面側に偏った空気の主流の一部を舌部側に寄せるために、風向板によって主流を分割する。このため、ファンケースの側面側において風速が相当程度遅くなってしまう。風速が遅くなった状態で吹出口から外部に向けて送風されるため、特許文献１に開示の送風装置にあっては、遠方まで送風することができず、結果的に送風範囲が狭くなる場合が生じる。
【０００８】
本発明は、上記のような問題に鑑みてなされたものであり、本発明の目的は、送風される空気の速度を速めてかつ広範囲に送風することができる送風装置を提供することにある。
【課題を解決するための手段】
【０００９】
本発明に基づく送風装置は、送風機と、上記送風機によって送出される空気を外部に向けて送風するための送風経路を規定するダクトと、上記ダクトの送風下流側の開口端部近傍に設けられ、上記ダクトから送風される空気の向きを調整する風向調整部とを備えるものであり、上記風向調整部は、送風下流側に向かって延在するとともに、互いに離間して対向配置される第１風向調整板部および第２風向調整板部を含む。上記第１風向調整板部および上記第２風向調整板部は、送風下流側に向かうにつれて上記第１風向調整板部と上記第２風向調整板部との間の間隔が狭くなるように傾斜して配置されるとともに、送風下流側に向かうにつれて幅が狭くなるように設けられる。上記風向調整部は、上記送風装置からの送風方向が変化するように回動可能に構成されている。
【００１０】
上記本発明に基づく送風装置は、上記風向調整部を回動させるための駆動機構をさらに備えることが好ましく、上記風向調整部は、上記駆動機構によって上記第１風向調整板部および上記第２風向調整板部の幅方向と平行な方向に延びる軸線を中心軸として回動することが好ましい。
【００１１】
上記本発明に基づく送風装置は、上記第１風向調整板部および上記ダクトの間の隙間から空気の漏れを防ぐための第１漏気防止板と、上記第２風向調整板部および上記ダクトの間の隙間から空気の漏れを防ぐための第２漏気防止板と、上記第１漏気防止板および上記第２漏気防止板を互いに近づける方向に付勢する付勢機構とをさらに備えることが好ましい。この場合には、上記第１漏気防止板および上記第２漏気防止板のそれぞれは、上記付勢機構によって付勢されることによって上記ダクトとの間の隙間を覆いながら上記風向調整部の回動に連動して移動することが好ましい。
【００１２】
上記本発明に基づく送風装置は、上記風向調整部を回動させるための駆動機構をさらに備えることが好ましく、この場合には、上記風向調整部は、上記駆動機構によって上記開口端部の開口面の法線が延在する方向と平行な方向に延びる軸線を回動中心として回動することが好ましい。
【００１３】
上記本発明に基づく送風装置は、イオンを発生するイオン発生器を上記送風経路にさらに備えることが好ましい。
【００１４】
上記本発明に基づく送風装置は、上記ダクトの外表面に固定される駆動モータと、上記駆動モータに連結される回動軸とをさらに備えることが好ましい。この場合には、上記風向調整部は、互いに離間する上記第１風向調整板部および上記第２風向調整板部の一端側同士および他端側同士を接続する側面部をさらに含むことが好ましく、上記側面部は、上記ダクトの上記開口端部に回動可能に支持されることが好ましい。さらにこの場合には、上記回動軸は、その一端側が上記側面部に接続され、上記駆動モータによって回動することにより上記側面部に連動して上記風向調整部が回動することが好ましい。
【００１５】
上記本発明に基づく送風装置は、上記ダクトの外表面に固定された駆動モータと、当該駆動モータに連結されるギア部とをさらに備えることが好ましい。この場合には、上記ダクトは、上記風向調整部が取り付けられた第１ダクトと、上記第１ダクトよりも送風上流側に位置し、上記第１ダクトに接続される第２ダクトとを含むことが好ましく、上記第１ダクトは、上記第２ダクトに対して回動可能に取り付けられるとともに、上記ギア部に噛合する外周ギア部を含むことが好ましい。さらにこの場合には、上記ギア部によって上記駆動モータの回転が上記外周ギアに伝達されることにより、前記第１ダクトが回動し、これにより上記第１ダクトに設けられた上記風向調整部が回動することが好ましい。
【発明の効果】
【００１６】
本発明によれば、送風される空気の速度を速めて、かつ広範囲に送風することができる送風装置を提供することができる。
【図面の簡単な説明】
【００１７】
【図１】本実施の形態１に係る送風装置の斜視図である。
【図２】図１に示す送風装置の正面図である。
【図３】図１に示す送風装置の右側面図である。
【図４】図２に示すＩＶ−ＩＶ線に沿った模式断面図である。
【図５】図４に示すイオン発生器の平面図である。
【図６】図５に示す矢印ＶＩに示す方向から見たイオン発生器の正面図である。
【図７】図５に示す矢印ＶＩＩに示す方向から見たイオン発生器の正面図である。
【図８】図１に示す風向調整ユニットの外観図である。
【図９】カバーを取り外した風向調整ユニットの外観図である。
【図１０】図９に示すカバーを取り外した風向調整ユニットを下方側から見た場合の外観図である。
【図１１】風向調整部が第１の位置にある状態を示す模式断面図である。
【図１２】風向調整部が第２の位置にある状態を示す模式断面図である。
【図１３】風向調整部が第３の位置にある状態を示す模式断面図である。
【図１４】本発明の実施の形態２に係る送風装置を示す斜視図である。
【図１５】図１４に示す送風装置の正面図である。
【図１６】図１５に示すＸＶＩ−ＸＶＩ線に沿った断面図である。
【図１７】図１４に示す送風装置を構成する送風ユニットを示す斜視図である。
【図１８】図１７に示す送風ユニットを下方側から見た場合の外観図である。
【図１９】図１７に示す送風ユニットからカバーを取り外した場合の正面図である。
【図２０】図１８に示す送風ユニットの要部拡大図である。
【図２１】風向調整部が第４の位置にある状態において吹出ダクトから吹き出される空気を送風装置の側面から見た状態を示す模式図である。
【図２２】風向調整部が第４の位置にある状態において吹出ダクトから吹き出される空気を送風装置の正面から見た状態を示す模式図である。
【図２３】風向調整部が第５の位置にある状態において吹出ダクトから吹き出される空気を送風装置の上面から見た状態を示す模式図である。
【図２４】風向調整部が第５の位置にある状態において吹出ダクトから吹き出される空気を送風装置の正面から見た状態を示す模式図である。
【図２５】本発明の実施の形態３に係る送風装置を構成する送風ユニットの斜視図である。
【図２６】図２５に示す送風ユニットを下方側から見た場合の外観図である。
【図２７】本発明の実施の形態４に係る送風装置を構成する送風ユニットの斜視図である。
【図２８】図２７に示す送風ユニットを下方側から見た場合の外観図である。
【図２９】本発明の実施の形態５に係る送風装置を構成する送風ユニットの斜視図である。
【図３０】図２９に示す送風ユニットを下方側から見た場合の外観図である。
【発明を実施するための形態】
【００１８】
以下、本発明の実施の形態について、図を参照して詳細に説明する。なお、以下に示す実施の形態においては、同一のまたは共通する部分について図中同一の符号を付し、その説明は繰り返さない。
【００１９】
（実施の形態１）
図１は、本発明の実施の形態１に係る送風装置を示す斜視図である。図２は、図１に示す送風装置の正面図である。図３は、図１に示す送風装置の右側面図である。図４は、図２に示すＩＶ−ＩＶ線に沿った模式断面図である。図１から図４を参照して、本実施の形態に係る送風装置について説明する。
【００２０】
図１から図４に示すように、本実施の形態に係る送風装置１は、送風ユニット２Ａ，２Ｂ（図４参照）と、当該送風ユニット２Ａ，２Ｂを収容する筐体１０とを備える。
【００２１】
筐体１０は、上下方向（図中Ｚ軸方向）に沿って並んで配置されている送風ユニット２Ａ，２Ｂ（図４参照）のうち上側に配置される送風ユニット２Ａの一部を収容する収容部１２と、側面の一方側（右側）に設けられた吸込口１１とを含む。
【００２２】
筐体１０の正面側には、開口部１４，１５が設けられている。開口部１４は、収容部１２の正面側に位置し、開口部１５は、筐体１０の正面側の略中央に位置する。開口部１４は、正面側から見た場合に略上下方向（Ｚ軸方向）に延在する長辺と略左右方向（図中Ｘ軸方向）に延在する短辺とを有する。開口部１５は、正面から見た場合に略上下方向に延在する短辺と左右方向に延在する長辺とを有する。
【００２３】
送風ユニット２Ａ，２Ｂの先端には、風向調整ユニット３Ａ，３Ｂが設けられている。風向調整ユニット３Ａ，３Ｂの一部は、開口部１４，１５から前方（図中Ｙ軸負方向）に向けて突出している。
【００２４】
図４に示すように、送風ユニット２Ａは、送風機としてのシロッコファン５１Ａと、送風ダクト５３Ａと、イオン発生器６０Ａと、吹出ダクト１００Ａと、風向調整ユニット３Ａとを含む。送風ユニット２Ｂは、送風機としてのシロッコファン５１Ｂと、送風ダクト５３Ｂと、イオン発生器６０Ｂと、吹出ダクト１００Ｂと、風向調整ユニット３Ｂとを含む。
【００２５】
以下、送風ダクト５３Ａおよび送風ダクト５３Ｂを特に区別しない場合は、これらを送風ダクト５３と称し、吹出ダクト１００Ａおよび吹出ダクト１００Ｂを特に区別しない場合は、これらを吹出ダクト１００と称する。
【００２６】
また、イオン発生器６０Ａとイオン発生器６０Ｂとを特に区別しない場合は、これらをイオン発生器６０と称し、風向調整ユニット３Ａおよび風向調整ユニット３Ｂを特に区別しない場合は、これらを風向調整ユニット３と称する。
【００２７】
シロッコファン５１Ａ，５１Ｂは、吸込口１１から送風装置１外部の空気を取り込み、ダクト４Ａ，４Ｂに向けて取り込んだ空気を送出する。シロッコファン５１Ａとシロッコファン５１Ｂとは、それぞれのシロッコファンの回転軸が互いに平行となるように設けられている。
【００２８】
吹出ダクト１００は、イオン発生器６０を介して送風ダクト５３に接続されている。イオン発生器６０には、後述する送風空間６４ａ，６４ｂ（図５参照）が形成されており、この送風空間６４ａ，６４ｂによって吹出ダクト１００と送風ダクト５３とが連通している。
【００２９】
このように、吹出ダクト１００Ａ，１００Ｂと送風ダクト５３Ａ，５３Ｂを接続することにより、送風経路５２Ａ，５２Ｂを規定するダクト４Ａ，４Ｂが構成される。ダクト４Ａおよびダクト４Ｂを特に区別しない場合は、これらをダクト４と称する。なお、吹出ダクト１００と送風ダクト５３が一体に形成されることによりダクト４が構成されていてもよい。
【００３０】
図１から図４に示すように、吹出ダクト１００Ａ，１００Ｂ内には、防護網１８Ａ，１８Ｂが配置されている。防護網１８Ａ，１８Ｂは、吹出ダクト１００Ａ，１００Ｂの開口面１００Ａ１，１００Ｂ１近傍に配置されている。防護網１８Ａ，１８Ｂは、外部から指などの異物が進入するのを防ぐために設けられている。また、イオン発生器６０と反対側に位置し、送風下流側に位置する吹出ダクト１００の開口端部近傍には、風向調整ユニット３が設けられている。
【００３１】
送風ユニット２Ａにおいて、イオン発生器６０Ａ側に位置する送風ダクト５３Ａの開口部は、図中ＤＲ１方向が長手方向、図中Ｘ軸方向が短手方向となるように形成されており、これに伴ってイオン発生器６０Ａ側と反対側に位置する吹出ダクト１００Ａの開口面１００Ａ１も、図中ＤＲ１方向が長手方向、図中Ｘ軸方向が短手方向となるように形成されている。吹出ダクト１００Ａの開口面１００Ａ１は、正面から見た場合に矩形形状を有する。
【００３２】
送風ユニット２Ｂにおいて、イオン発生器６０Ｂ側に位置する送風ダクト５３Ｂの開口部は、図中ＤＲ２方向が短手方向、図中略Ｘ軸方向が長手方向となるように形成されており、これに伴ってイオン発生器６０Ｂ側と反対側に位置する吹出ダクト１００Ｂの開口面１００Ｂ１も、図中ＤＲ２方向が短手方向、図中略Ｘ軸方向が長手方向となるように形成されている。開口面１００Ｂ１は、正面から見た場合に矩形形状を有する。
【００３３】
なお、ＤＲ１方向およびＤＲ２方向がＸＺ平面に対して傾斜した場合を例示しているが、これに限定されず、ＸＺ平面に平行であってもよい。また、ＤＲ１方向とＤＲ２方向とは、ＸＺ平面に対する傾斜角が異なるように設定されてもよく、同じになるように設定されてもよい。
【００３４】
吹出ダクト１００Ｂは、正面から見た場合に、その長手方向が吹出ダクト１００Ａの長手方向に交差するように、送風ダクト５３Ｂに接続されている。これにより、風向調整ユニット３Ｂにおいても、正面から見た場合に、その長手方向が風向調整ユニット３Ａの長手方向に交差するように吹出ダクト１００Ｂに取り付けられている。
【００３５】
たとえば、正面から見た場合に、吹出ダクト１００Ｂの長手方向と吹出ダクト１００Ａの長手方向とは略直交し、風向調整ユニット３Ｂの長手方向と風向調整ユニット３Ａの長手方向とは略直交する。
【００３６】
イオン発生器６０は、イオンを発生させ、ダクト４中を流れる空気中にイオンを放出する。イオン発生器６０は、ダクト４に対して着脱自在に取り付けられる。ダクト４には、イオン発生器６０を挿入可能な挿入孔（不図示）が形成されている。この挿入孔に対してイオン発生器６０を一方向にスライド移動することにより、イオン発生器６０が着脱される。
【００３７】
また、イオン発生器６０Ａは、長手方向がＤＲ１方向に沿うようにダクト４Ａに組み付けられ、イオン発生器６０Ｂは、長手方向がＸ軸に沿うようにダクト４Ｂに組み付けられる。
【００３８】
図５は、図４に示すイオン発生器の平面図である。図６は、図５に示す矢印ＶＩに示す方向から見たイオン発生器の正面図である。図７は、図５に示す矢印ＶＩＩに示す方向から見たイオン発生器の正面図である。図５から図７を参照して、イオン発生器について説明する。
【００３９】
図５から図７に示すように、イオン発生器６０は、ケース６１と、放電電極６５ａ〜６５ｄと、誘導電極（対向電極）６５ｅと、高電圧発生回路部６６と、基板６９ａと、基板６９ｂとを含む。
【００４０】
ケース６１は、上部ケース６２と下部ケース６３とによって構成されている。上部ケース６２は、収容部６２ａ，６２ｂを有する。収容部６２ａと下部ケース６３との間の収容空間には、放電電極６５ａ，６５ｂおよび誘導電極６５ｅを固定する基板６９ａと、高電圧発生回路部６６とが収容される。収容部６２ｂと下部ケース６３との間の収容空間には、放電電極６５ｃ，６５ｄを固定する基板６９ｂが収容される。
【００４１】
上記の収容部６２ａと下部ケース６３との間の収容空間と、収容部６２ｂと下部ケース６３との間の収容空間とを連通する連通部６８を挟んで、ケース６１の内周面によって送風空間６４ａ，６４ｂが形成されている。
【００４２】
放電電極６５ａおよび放電電極６５ｃは、その先端が送風空間６４ａに位置するように、ケース６１に収容されている。また、放電電極６５ａと放電電極６５ｃは、電極の中心軸が互いに同一直線上に位置するように、対向して配置される。
【００４３】
放電電極６５ｂおよび放電電極６５ｄは、その先端が送風空間６４ｂに位置するようにケース６１に収容されている。また、放電電極６５ｂと放電電極６５ｄは、電極の中心軸が互いに同一直線上に位置するように対向して配置される。
【００４４】
これら放電電極６５ａ〜６５ｄは、先端が尖鋭化された針形状を有する。放電電極６５ａ〜６５ｄは、同一平面内に設けられている。放電電極６５ａ〜６５ｄは、各電極の中心軸が互いに平行となるように配置されている。
【００４５】
放電電極６５ａと放電電極６５ｂとは、電極の中心軸に直交する方向に離間して並んでいる。放電電極６５ｃと放電電極６５ｄとは、電極の中心軸に直交する方向に離間して並んでいる。
【００４６】
誘導電極６５ｅは、放電電極６５ａと放電電極６５ｂとの間に配置されている。誘導電極６５ｅは、放電電極６５ａおよび放電電極６５ｂから互いに等しい距離となる位置に設けられ、放電電極６５ｃおよび放電電極６５ｄから互いに等しい距離となる位置に設けられている。
【００４７】
放電電極６５ａと放電電極６５ｃとは、互いに異なる極性のイオンを発生させ、放電電極６５ｂと放電電極６５ｄとは、互いに異なる極性のイオンを発生させる。放電電極６５ａと放電電極６５ｂとは、互いに異なる極性のイオンを発生させ、放電電極６５ｃと放電電極６５ｄとは、互いに異なる極性のイオンを発生させる。
【００４８】
放電電極６５ａに正または負の高電圧が印加され、放電電極６５ｂに負または正の高電圧が印加されると、これら放電電極と誘導電極６５ｅとの間にコロナ放電が発生し、正イオンおよび負イオンが発生する。同様に、放電電極６５ｃに負または正の高電圧が印加され、放電電極６５ｄに正または負の高電圧が印加されると、これら放電電極と誘導電極６５ｅとの間にコロナ放電が発生し、負イオンおよび正イオンが発生する。
【００４９】
放電電極６５ａ〜６５ｄのそれぞれは、高電圧発生回路部６６と電気的に接続されており、高電圧発生回路部６６によって発生された高電圧が放電電極６５ａ〜６５ｄに印加される。
【００５０】
図８は、図１に示す風向調整ユニットの外観図である。図９は、カバーを取り外した風向調整ユニットの外観図である。図１０は、図９に示すカバーを取り外した風向調整ユニットを下方側から見た場合の外観図である。図８から図１０を参照して、風向調整ユニット３について説明する。
【００５１】
なお、風向調整ユニット３Ａと風向調整ユニット３Ｂを総称して風向調整ユニット３と称しているが、以下については、主として風向調整ユニット３Ａの構成に基づいて風向調整ユニット３を説明する。このため、風向調整ユニット３Ｂの構成においては、以下に記載の風向調整ユニット３の長手方向（ＤＲ１方向）および短手方向（Ｘ軸方向）が、風向調整ユニット３Ｂの長手方向（Ｘ軸方向）および短手方向（ＤＲ２方向）に対応する。
【００５２】
図８から図１０に示すように、風向調整ユニット３は、風向調整部２０と、第１漏気防止部８０および第２漏気防止部９０と、カバー部４０と、駆動機構７０とを含む。風向調整ユニット３は、吹出ダクト１００に回動可能に取り付けられている。
【００５３】
吹出ダクト１００は、短手方向（Ｘ軸方向）に沿って延在する側壁部１０１，１０３（図１０参照）と長手方向（ＤＲ１方向）に沿って延在する側壁部１０２，１０４とを含む。側壁部１０１，１０３は、送風経路５２を挟んで互いに対向するように配置され、後端側（送風上流側）から前端側（送風下流側）に向かうにつれて互いに距離が近づくように緩やかに傾斜している。また、側壁部１０１，１０３は、その先端部が側壁部１０２，１０４よりも送風下流側に突出している。
【００５４】
側壁部１０２，１０４は、送風経路５２を挟んで互いに対向するように配置され、後端側から前端側に向かうにつれて互いに距離が近づくように緩やかに傾斜している。
【００５５】
側壁部１０１〜１０４を緩やかに傾斜させることにより、送風領域を大幅に狭めることなく吹出ダクト１００内を通過する空気を絞ることができ、これにより当該空気の風速を早めることができる。
【００５６】
図９に示すように、側壁部１０１には、後述する風向調整部２０の側面部２３を載置する支持部１０６が設けられている。支持部１０６には、当該側面部２３を回動可能に支持する円柱状の係合突起１０８が設けられている。また、支持部１０６は、側壁部１０１の表面を窪ませることにより形成されており、これにより側壁部１０１には段差部１０７が形成されている。
【００５７】
図１０に示すように、側壁部１０３には、後述する風向調整部２０の側面部２４を支持する支持部１０９と、当該側面部２４を回動可能に保持する円柱状の係合突起（不図示）と、後述する駆動モータ７１を支持するモータ支持部１１１，１１２とが設けられている。モータ支持部１１１，１１２はネジ穴を有する。駆動モータ７１は、当該ネジ穴に対応するリング状部分を有する。当該リング状部分にネジ１５２，１５３が挿通され、この状態においてネジ１５２，１５３がネジ穴に螺合することにより、駆動モータ７１が吹出ダクト１００にネジ固定される。
【００５８】
また、側壁部１０３には、駆動モータ７１を駆動するための駆動回路基板７２を収容するための切欠き部１１３および当該駆動回路基板７２を保持するための保持部１１４，１１５が設けられている。保持部１１４，１１５には係合孔が設けられている。駆動回路基板７２が切欠き部に嵌め込まれ、係合孔に駆動回路基板７２に設けられた係合突起７４，７５が係合することにより、駆動回路基板７２が吹出ダクト１００に保持される。
【００５９】
図９および図１０に示すように、風向調整部２０は、枠状の基台部２７と、第１風向調整板部２１および第２風向調整板部２２とを含む。基台部２７は、互いに対向して長手方向（ＤＲ１方向）に延在する第１辺部２７ａ、第２辺部２７ｂおよび互いに対向して短手方向（Ｘ軸方向）に延在する第３辺部２７ｃ、第４辺部２７ｄを有する。
【００６０】
第１風向調整板部２１は、第１辺部２７ａから送風下流側に向かって延在するとともに、送風下流側に向かうにつれて幅（図中Ｗ１）が狭くなるように設けられている。第２風向調整板部２２は、第２辺部２７ｂから送風下流側に向かって延在するとともに、送風下流側に向かうにつれて幅（図中Ｗ１）が狭くなるように設けられている。
【００６１】
第１風向調整板部２１および第２風向調整板部２２は、互いに離間して対向配置されるとともに、送風下流側に向かうにつれて上記第１風向調整板部２１と上記第２風向調整板部２２との間の間隔が狭くなるように傾斜して配置されている。
【００６２】
第１風向調整板部２１および第２風向調整板部２２は、たとえば、半円形状、半楕円形状、半多角形状に形成され、互いに鏡面対称に形成されていることが好ましい。第１風向調整板部２１および第２風向調整板部２２は、一定の角度を有するように傾斜して配置されてもよいし、より空気抵抗を低減させるために湾曲して折り曲げられもよいし、段階的に折り曲げられるように構成されていてもよい。
【００６３】
基台部２７は、第３辺部２７ｃから後方（送風上流側）に向けて延在するとともに、第１風向調整板部２１および第２風向調整板部２２の一端側（上方側）の端部を接続する側面部２３と、第４辺部２７ｄから後方に向けて延在するとともに第１風向調整板部２１および第２風向調整板部２２の他端側（下方側）の端部を接続する側面部２４を有する。
【００６４】
側面部２３には、上述の係合突起１０８に回動可能に係合する係合孔２３ａ、第１漏気防止部８０を保持する係合突起２５ａ、および第２漏気防止部９０を保持する係合突起２５ｂが設けられている。
【００６５】
側面部２４には、第１漏気防止部８０を保持する係合突起２６ａ、および第２漏気防止部９０を保持する係合突起２６ｂが設けられている。係合突起２６ａは、係合突起２５ａに対応する位置に設けられており、係合突起２６ｂは、係合突起２５ｂに対応する位置に設けられている。
【００６６】
さらに、側面部２４には、駆動モータ７１に連設された回動軸７３を一端側から嵌め込む嵌め込み部２８が形成されている。嵌め込み部２８の他端側には、側壁部１０３に形成された係合突起（不図示）が係合する。
【００６７】
風向調整部２０における側面部２３の係合孔２３ａおよび側面部２４の嵌め込み部２８の他端側が、吹出ダクト１００における側壁部１０１の係合突起１０８および側壁部１０３の係合突起（不図示）に係合することにより、風向調整部２０が吹出ダクト１００に回動可能に固定される。
【００６８】
駆動機構７０は、吹出ダクト１００の外表面のうち下方側に位置する外表面に固定されている。駆動機構７０は、駆動モータ７１と、一端側が当該駆動モータに連結されるともに他端側が側面部に接続される回動軸７３とを含む。駆動モータ７１によって回動軸７３が第１風向調整板部２１および第２風向調整板部２２の幅方向Ｗ１に沿って延在する軸線を中心軸として回動することにより、回動軸７３に連動して風向調整部２０が回動する。
【００６９】
第１漏気防止部８０は、第１風向調整板部２１と吹出ダクト１００との間の隙間を覆う部位である。第１風向調整板部２１と吹出ダクト１００との間の隙間を覆うことにより、吹出ダクト１００から吹き出される空気の漏れを抑制できるとともに、当該空気を第１風向調整板部２１と第２風向調整板部２２との間の空間に向けて案内することができる。
【００７０】
第１漏気防止部８０は、長手方向（ＤＲ１方向）に沿って延在し、主として第１風向調整板部２１と吹出ダクト１００との間の隙間を覆う第１漏気防止板部８１と、当該第１漏気防止板部８１の両端部から短手方向（Ｘ軸方向）に沿って延在する側板部８２，８３とを含む。
【００７１】
側板部８２には、上述の風向調整部２０の側面部２３に設けられた係合突起２５ａに係合する係合孔８４が設けられている。側板部８３には、上述の風向調整部２０の側面部２４に設けられた係合突起２６ａに係合する係合孔８５が設けられている。
【００７２】
係合孔８４，８５が係合突起２５ａ，２６ａに係合することにより、第１漏気防止部８０は、風向調整部２０に固定される。これにより、第１漏気防止部８０は、風向調整部２０が回動する際に風向調整部２０と一体となって移動する。
【００７３】
この際、第１漏気防止板部８１の内表面の一部が側壁部１０１，１０３のうち側壁部１０２，１０４から突出する領域の縁部に摺動するように、第１漏気防止部８０が移動する。これにより、第１風向調整板部２１と吹出ダクト１００との間の隙間を塞ぐことができ、吹出ダクト１００から吹き出される空気を第１風向調整板部２１と第２風向調整板部２２との間の空間に向けて案内することができる。
【００７４】
第１漏気防止板部８１と吹出ダクト１００との密着性を高めて、第１風向調整板部２１と吹出ダクト１００との間の隙間からの空気の漏れを防ぐために、第１漏気防止板部８１は、付勢機構によって第２漏気防止板部９１に近づく方向に付勢される。
【００７５】
付勢機構としては、たとえば第１漏気防止部８０の側板部８３に設けられたフック部８６と風向調整部２０の側面部２４に設けられたフック部２９とを接続する弾性部材としてのばね１４１を採用することができる。ばね１４１の付勢力によって第１漏気防止板部８１は第２漏気防止板部９１に近づく方向に付勢される。
【００７６】
第２漏気防止部９０は、風向調整部２０が回動する際に第２風向調整板部２２と吹出ダクト１００との間の隙間を覆う部位である。第２風向調整板部２２と吹出ダクト１００との間の隙間を覆うことにより、吹出ダクト１００から吹き出される空気の漏れを抑制できるとともに、当該空気を第１風向調整板部２１と第２風向調整板部２２との間の空間に向けて案内することができる。
【００７７】
第２漏気防止部９０は、長手方向（ＤＲ１方向）に沿って延在し、主として第２風向調整板部２２と吹出ダクト１００との間の隙間を塞ぐ第２漏気防止板部９１と、第２漏気防止板部９１の両端部から短手方向（Ｘ軸方向）に沿って延在する側板部９２，９３とを含む。
【００７８】
側板部９２には、上述の風向調整部２０の側面部２３に設けられた係合突起２５ｂに係合する係合孔９４が設けられている。側板部９３には、上述の風向調整部２０の側面部２４に設けられた係合突起２６ｂに係合する係合孔９５が設けられている。
【００７９】
係合孔９４，９５が係合突起２５ｂ，２６ｂに係合することにより、第２漏気防止部９０は風向調整部２０に固定される。これにより、第２漏気防止部９０は、風向調整部２０が回動する際に風向調整部２０と一体となって移動する。
【００８０】
この際、第２漏気防止板部９１の内表面の一部が側壁部１０１，１０３のうち側壁部１０２，１０４から突出する領域の縁部に摺動するように、第２漏気防止部９０が移動する。これにより、第２風向調整板部２２と吹出ダクト１００との間の隙間を塞ぐことができ、吹出ダクト１００から吹き出される空気を第１風向調整板部２１と第２風向調整板部２２との間の空間に向けて案内することができる。
【００８１】
第２漏気防止板部９１と吹出ダクト１００との密着性を高めて、第２風向調整板部２２と吹出ダクト１００との間の隙間からの空気の漏れを防ぐために、第２漏気防止板部９１は、付勢機構によって第１漏気防止板部８１に近づく方向に付勢される。
【００８２】
付勢機構としては、たとえば第２漏気防止部９０の側板部９３に設けられたフック部９６と風向調整部２０の側面部２４に設けられたフック部２９との間を接続する弾性部材としてのばね１４２を採用することができる。ばね１４２の付勢力によって第２漏気防止板部９１は第１漏気防止板部８１に近づく方向に付勢される。
【００８３】
なお、本実施の形態においては、第１漏気防止板部８１および第２漏気防止板部９１のそれぞれがばね１４１，１４２によって付勢される場合を例示したが、上記のフック部８６とフック部９６との間を直接接続する弾性部材によって第１漏気防止板部８１および第２漏気防止板部９１が互いに近づくように付勢されてもよい。
【００８４】
図８に示すように、カバー部４０は、主として風向調整部２０を保護するための部位である。カバー部４０は、第１カバー４１と第２カバー４２とを含む。第１カバー４１は、第１風向調整板部２１の風向調整面２１ａが露出するように第１風向調整板部２１および第１漏気防止部８０を覆う。第２カバー４２は、第２風向調整板部２２の風向調整面２２ａが露出するように第２風向調整板部２２および第２漏気防止部９０を覆う。
【００８５】
図１１から図１３は、風向調整部が第１の位置、第２の位置、および第３の位置にある状態を示す模式断面図である。図１２は、図８に示すＸＩＩ線に沿った断面図であり、図１１および図１３は、それぞれの位置においてＸＩＩ線に対応する線に沿った断面図である。図１１から図１３における紙面垂直方向は、ＤＲ１方向（図４、図８参照）に一致する。図１１から図１３を参照して、風向調整ユニット３が連続的に左右方向（図中Ｘ軸方向）に回動する場合の動作について説明する。
【００８６】
図１１に示すように、風向調整部２０が第１の位置として正面に配置される場合には、前方（図中矢印ＤＲ３方向）に向けて空気が送風される。この際、風向調整部２０の第１風向調整板部２１および第２風向調整板部２２は、吹出ダクト１００の側壁部１０２，１０４から離れて位置するが、第１漏気防止板部８１および第２漏気防止板部９１によって第１風向調整板部２１および第２風向調整板部２２と側壁部１０２，１０４との間の隙間が覆われる。
【００８７】
具体的には、第１漏気防止板部８１および第２漏気防止板部９１の前端側の内表面が第１風向調整板部２１および第２風向調整板部２２の後端側の外表面にＤＲ１方向（紙面垂直方向）に沿って接触し、第１漏気防止板部８１および第２漏気防止板部９１の略中央部から後端側に亘る内表面が側壁部１０２，１０４の外表面にＤＲ１方向に沿って接触する。
【００８８】
図１２に示すように、風向調整部２０が第２の位置として左側（第１風向調整板部２１側）の回動終端位置に配置される場合には、所定の開き角を有して正面左側方向（図中ＤＲ４方向）に向けて空気が送風される。この際、第１風向調整板部２１の後端側がＤＲ１方向（紙面垂直方向）に沿って側壁部１０４の前端側に接触することにより、第１風向調整板部２１と側壁部１０４とが連続する。
【００８９】
一方、第２風向調整板部２２は、側壁部１０２から離れて位置するが、第２漏気防止板部９１によって第２風向調整板部２２と側壁部１０２との間の隙間が覆われる。
【００９０】
具体的には、第２漏気防止板部９１の前端側の内表面が第２風向調整板部２２の後端側の外表面にＤＲ１方向に沿って接触し、第２漏気防止板部９１の後端側の内表面が側壁部１０２の前端側の外表面にＤＲ１方向に沿って接触する。また、第２漏気防止板部９１の前端側と後端側の間に位置する部分における内表面が、側壁部１０２，１０４よりも送風下流側に突出する側壁部１０１，１０３の外縁部のうち右側（第２風向調整板部２２側）の部分に接触するとともにその部分における側壁部１０１および側壁部１０３の間の隙間を塞ぐ。
【００９１】
図１３に示すように、風向調整部２０が第３の位置としての右側（第２風向調整板部２２側）の回動終端位置に配置される場合には、所定の開き角を有して正面右側方向（図中ＤＲ５方向）に向けて空気が送風される。この際、第２風向調整板部２２の後端側がＤＲ１方向に沿って側壁部１０２の前端側に接触することにより、第２風向調整板部２２と側壁部１０２とが連続する。
【００９２】
一方、第１風向調整板部２１は、側壁部１０４から離れて位置するが、第１漏気防止板部８１によって第１風向調整板部２１と側壁部１０４との間の隙間が覆われる。
【００９３】
具体的には、第１漏気防止板部８１の前端側の内表面が第１風向調整板部２１の後端側の外表面にＺ軸方向に沿って接触し、第１漏気防止板部８１の後端側の内表面が側壁部１０４の前端側の外表面にＤＲ１方向に沿って接触する。また、第１漏気防止板部８１の前端側と後端側の間に位置する部分における内表面が、側壁部１０２，１０４よりも送風下流側に突出する側壁部１０１，１０３の外縁部のうち左側（第１風向調整板部２１側）の部分に接触するとともにその部分における側壁部１０１および側壁部１０３の間の隙間を塞ぐ。
【００９４】
このように、風向調整ユニット３が連続的に左右方向（図中Ｘ軸方向）に回動する場合には、第１風向調整板部２１および第２風向調整板部２２の回動に追従して漏気防止板部８１および漏気防止板部９１が、第１風向調整板部２１および第２風向調整板部２２と吹出ダクト１００との間の隙間を覆いながらに移動することにより、吹出ダクト１００から吹き出される空気が第１風向調整板部２１および第２風向調整板部２２と側壁部１０２，１０４との間の隙間から漏れることなく、第１風向調整板部２１と第２風向調整板部２２との間の空間に向けて案内される。
【００９５】
上記のように、第１風向調整板部２１および第２風向調整板部２２が、送風下流側に向かうにつれて幅が狭くなるように設けられ、送風下流側に向かうにつれて上記第１風向調整板部と上記第２風向調整板部との間の間隙が狭くなるように傾斜して配置されることにより、第１風向調整板部２１と第２風向調整板部２２との間を通過する空気は、扁平かつ放射状に拡散される。また、送風機から送出する風量を増加させることなく、吹出口から吹き出される空気の風速を速くすることができる。
【００９６】
さらに、第１風向調整板部２１および第２風向調整板部２２が、当該第１風向調整板部２１および第２風向調整板部２２の幅方向に平行な方向を中心軸として送風装置１からの送風方向が変化するように回動することにより、広範囲に亘って風速の速い空気を送風することができる。
【００９７】
また、上下方向に２つの送風ユニット２Ａ，２Ｂを並べて配置させるとともに、風向調整ユニット３Ａについては、扁平かつ放射状に風速の速い空気を拡散させつつ、ＤＲ１方向に平行な方向を中心軸として回動させ、風向調整ユニット３Ｂについては、扁平かつ放射状に風速の速い空気を拡散させつつ、左右方向に平行な方向を中心軸として回動させることにより、さらに広範囲に亘って風速の速い空気を送風することができる。
【００９８】
以上のように本実施の形態に係る送風装置１にあっては、送風される風の速度を強め、かつ広範囲に送風することができる。
【００９９】
（実施の形態２）
図１４は、本発明の実施の形態２に係る送風装置を示す斜視図である。図１５は、図１４に示す送風装置の正面図である。図１６は、図１５に示すＸＶＩ−ＸＶＩ線に沿った断面図である。図１４から図１６を参照して、本実施の形態に係る送風装置１Ｃについて説明する。
【０１００】
図１４から図１６に示すように、本実施の形態に係る送風装置１Ｃは、実施の形態１に係る送風装置１と比較した場合に、送風ユニット２Ｃ（図１６参照）が１つで構成されている点および、吹出ダクト１００Ｃの一部が、前後方向（図中Ｙ軸方向）に平行な方向を中心軸としてＤＲ７方向に回動する点において相違する。なお、前後方向は、吹出ダクト１００Ｃの開口面１００Ｃ１の法線方向に一致する。
【０１０１】
具体的には、本実施の形態に係る送風装置１Ｃは、送風ユニット２Ｃおよび当該送風ユニット２Ｃを収容する筐体１０を備える。
【０１０２】
筐体１０は、正面に設けられた円形形状の開口部１４Ｃと、側面の一方側（右側）に設けられた吸込口１１とを含む。開口部１４Ｃは、筐体１０の正面側の上方に位置する。送風ユニット２Ｃの先端には風向調整ユニット３Ｃが設けられている。風向調整ユニット３Ｃの一部および吹出ダクト１００Ｃの一部が、開口部１４Ｃから前方へ突出している。
【０１０３】
図１６に示すように、送風ユニット２Ｃは、送風機としてのシロッコファン５１と、送風ダクト５３と、イオン発生器６０と、風向調整ユニット３Ｃと、後述する駆動機構１８０（図２０参照）とを含む。シロッコファン５１は、吸込口１１から室内の空気を取り込み、ダクト４に向けて取り込んだ空気を送出する。
【０１０４】
吹出ダクト１００Ｃは、イオン発生器６０を介して送風ダクト５３に接続されている。吹出ダクト１００Ｃと送風ダクト５３とを接続することにより、送風経路５２を規定するダクト４が構成される。
【０１０５】
イオン発生器６０と反対側に位置する吹出ダクト１００Ｃの開口端部近傍には、風向調整ユニット３Ｃが設けられている。イオン発生器６０は、イオンを発生させ、ダクト４中を流れる空気中にイオンを放出する。イオン発生器６０は、ダクト４に対して着脱自在に取り付けられる。
【０１０６】
図１７は、図１４に示す送風装置を構成する送風ユニットを示す斜視図である。図１８は、図１７に示す送風ユニットを下方側から見た場合の外観図である。図１９は、図１７に示す送風ユニットからカバーを取り外した場合の正面図である。図２０は、図１８に示す送風ユニットの要部拡大図である。図１７から図２０を参照して、送風ユニット２Ｃの風向調整ユニット３Ｃ、吹出ダクト１００Ｃおよび駆動機構１８０について説明する。
【０１０７】
図１７から図２０に示すように、風向調整ユニット３Ｃは、風向調整部２０と、漏気防止部（不図示）と、カバー部４０とを含む。風向調整部２０、漏気防止部およびカバー部４０は、実施の形態１に係るものとほぼ同様の構成を有し、吹出ダクト１００Ｃの先端に実施の形態１と同様に取り付けられている。
【０１０８】
吹出ダクト１００Ｃは、前方に位置する第１ダクト１６０と、後方に位置する第２ダクト１７０とを含む。第２ダクト１７０は、送風ダクト５３に嵌め込まれることにより固定され、第１ダクト１６０と送風ダクト５３とを接続する。第１ダクト１６０の後端側は、第２ダクト１７０の前端側に回動可能に嵌め込まれている。第１ダクト１６０の外周面には、外周ギア部１６１が設けられている。
【０１０９】
駆動機構１８０は、吹出ダクト１００Ｃの外表面のうち下方側に位置する外表面に固定されている。駆動機構１８０は、当該外周ギア部１６１と、これに噛合するギア部１８１と、ギア部１８１を回動駆動する駆動モータ１８３とを含む。駆動モータ１８３が駆動することにより、ギア部１８１が図１９中ＤＲ６方向に回動する。ギア部１８１によって駆動モータ１８３の回動が外周ギア部１６１に伝達されることにより、第１ダクト１６０が図１９中ＤＲ７方向に回動する。第１ダクト１６０に一体となって、当該第１ダクト１６０の先端に取り付けられた風向調整部２０が回動する。
【０１１０】
図２０に示すように、第２ダクト１７０の外表面のうち下方側に位置する外表面には、駆動モータ１８３を指示するモータ支持部１７２が設けられている。モータ支持部１７２はネジ穴を有する。駆動モータ１８３は、固定するための部材として、当該ネジ穴に対応するリング状部分を有する。当該リング状部分がモータ支持部１７２にネジ留めされることにより、駆動モータ１８３がモータ支持部１７２に支持される。
【０１１１】
本実施の形態においても、第１風向調整板部２１および第２風向調整板部２２と吹出ダクト１００との間の隙間からの空気が漏れることを防止するために、第１漏気防止部８０および第２漏気防止部９０が設けられている。
【０１１２】
第１漏気防止部８０を構成する漏気防止板および第２漏気防止部９０を構成する漏気防止板は、吹出ダクト１００Ｃとの密着性を高めるために、第１漏気防止部８０のフック部８６と第２漏気防止部９０のフック部９６とを弾性部材としてのばね１４３によって接続することにより、互いに近づくように付勢されている。
【０１１３】
図２１は、風向調整部が第４の位置にある状態において吹出ダクトから吹き出される空気を送風装置の側面から見た状態を示す模式図である。図２２は、風向調整部が第４の位置にある状態において吹出ダクトから吹き出される空気を送風装置の正面から見た状態を示す模式図である。図２１および図２２を参照して、風向調整部が第４の位置にある状態において吹出ダクト１００Ｃから吹き出される空気について説明する。
【０１１４】
図２１および図２２に示すように、風向調整部２０が上下方向（Ｚ軸方向）に沿って配置される状態においては、風向調整ユニット３は、上下方向に亘って扁平かつ放射状に風速の速い空気を拡散させる。
【０１１５】
具体的には、第１風向調整板部２１および第２風向調整板部２２の根元部から前方にＤ２離れた位置においては、上下方向に沿った長さがＬ２、左右方向に沿った長さがＷ２となるような帯状の空気５が送風される。
【０１１６】
図２３は、風向調整部が第５の位置にある状態において吹出ダクトから吹き出される空気を送風装置の上面から見た状態を示す模式図である。図２４は、風向調整部が第５の位置にある状態において吹出ダクトから吹き出される空気を送風装置の正面から見た状態を示す模式図である。図２３および図２４を参照して、風向調整部が第５の位置にある状態において吹出ダクト１００Ｃから吹き出される空気について説明する。
【０１１７】
図２３および図２４に示すように、風向調整部２０が左右方向（Ｘ軸方向）に沿って配置される状態においては、風向調整ユニット３は、左右方向に亘って扁平かつ放射状に風速の速い空気を拡散させる。
【０１１８】
具体的には、第１風向調整板部２１および第２風向調整板部２２の根元部から前方にＤ２離れた位置においては、上下方向に沿った長さがＬ２、左右方向に沿った長さがＷ２となるような帯状の空気５が送風される。
【０１１９】
風向調整ユニット３が連続的に前後方向（Ｙ軸方向）を中心軸として回動する場合には、図２１ないし図２４に示すように、帯状の空気５が回転することにより、略円錐台形状の送風領域６が形成される。
【０１２０】
以上のように本実施の形態に係る送風装置１Ｃにあっても第１風向調整板部２１および第２風向調整板部２２が、送風下流側に向かうにつれて幅が狭くなるように設けられ、送風下流側に向かうにつれて上記第１風向調整板部と上記第２風向調整板部との間の隙間が狭くなるように傾斜して配置されることにより、第１風向調整板部２１と第２風向調整板部２２との間を通過する空気は、扁平かつ放射状に拡散される。また、送風機から送出する風量を増加させることなく、吹出口から吹き出される空気の風速を速くすることができる。
【０１２１】
第１風向調整板部２１および第２風向調整板部２２が、前後方向に沿って平行な方向に延びる軸線を中心軸として送風装置１からの送風方向が変化するように回動することにより、広範囲に亘って風速の速い空気を送風することができる。
【０１２２】
（実施の形態３）
図２５は、本発明の実施の形態３に係る送風装置を構成する送風ユニットの斜視図である。図２６は、図２５に示す送風ユニットを下方側から見た場合の外観図である。図２５および図２６を参照して、本実施の形態に係る送風装置を構成する送風ユニット２Ｄについて説明する。
【０１２３】
本実施の形態に係る送風装置は、実施の形態に係る送風装置１Ｃと比較した場合に、送風装置に具備される送風ユニット２Ｄの風向調整ユニット３Ｄが、第１風向調整板部２１および第２風向調整板部２２の幅方向に沿って伸びる軸線を中心軸としてＤＲ８方向に回動しつつ、前後方向に平行な方向を中心軸として回動できる点において相違し、その他の構成についてはほぼ同様である。
【０１２４】
風向調整ユニット３Ｄは、実施の形態１に係る構成と同様の構成にて駆動モータによって第１風向調整板部２１および第２風向調整板部２２の幅方向に沿って平行な方向に延びる軸線を中心軸として回動させてもよいし、第１風向調整板部２１および第２風向調整板部２２を吹出ダクト１００Ｃに枢支することにより手動にて同方向に延びる軸線を中心軸として回動させてもよい。
【０１２５】
第１風向調整板部２１および第２風向調整板部２２を吹出ダクト１００Ｃに枢支する場合には、吹出ダクト１００Ｃに凹部が設けられ、第１風向調整板部２１および第２風向調整板部２２に当該凹部に回動可能に嵌り合う枢支軸が設けられてもよいし、吹出ダクト１００Ｃに枢支軸が設けられ、第１風向調整板部２１および第２風向調整板部２２に当該枢支軸に回動可能に嵌り合う凹部が設けられていてもよい。
【０１２６】
このような構成とすることにより、本実施の形態に係る送風ユニット２Ｄを具備する送風装置にあっても、実施の形態２に係る送風装置１Ｃとほぼ同様の効果が得られる。また、本実施の形態に係る送風ユニット２Ｄを具備する送風装置にあっては、風向調整ユニット３Ｄが、第１風向調整板部２１および第２風向調整板部２２の幅方向に沿って伸びる軸線を中心軸としてＤＲ８方向に回動することもできることから、より外側に向けて広範囲に送風することができる。
【０１２７】
（実施の形態４）
図２７は、本発明の実施の形態４に係る送風装置を構成する送風ユニットの斜視図である。図２８は、図２７に示す送風ユニットを下方側から見た場合の外観図である。図２７および図２８を参照して、本実施の形態に係る送風装置を構成する送風ユニット２Ｅについて説明する。
【０１２８】
図２７および図２８に示すように、本実施の形態に係る送風装置は、実施の形態２に係る送風装置１Ｃと比較した場合に、送風装置に具備される送風ユニット２Ｅの駆動機構１８０Ｅの設置位置が相違し、その他の構成についてはほぼ同様である。
【０１２９】
駆動機構１８０Ｅは、吹出ダクト１００Ｃの外表面のうち左側に位置する外表面に固定されている。
【０１３０】
駆動機構１８０Ｅのギア部１８１によって駆動モータ１８３の回動が外周ギア部１６１に伝達されることにより、第１ダクト１６０が前後方向に平行な方向に沿って伸びる軸線を中心軸として回動する。これにより、第１ダクト１６０と一体となって、当該第１ダクト１６０の先端に取り付けられた第１風向調整板部２１および第２風向調整板部２２が前後方向に平行な方向に沿って伸びる軸線を中心軸として回動する。
【０１３１】
このような構成にあっても、扁平かつ放射状に拡散された広範囲に亘って風速の速い空気を送風することができ、本実施の形態に係る送風装置は、実施の形態２に係る送風装置１Ｃとほぼ同様の効果が得られる。
【０１３２】
（実施の形態５）
図２９は、本発明の実施の形態５に係る送風装置を構成する送風ユニットの斜視図である。図３０は、図２９に示す送風ユニットを下方側から見た場合の外観図である。図２９および図３０を参照して、本実施の形態に係る送風装置を構成する送風ユニット２Ｆについて説明する。
【０１３３】
図２９および図３０に示すように、本実施の形態に係る送風装置は、実施の形態４に係る送風装置と比較した場合に、送風ユニット２Ｆの風向調整ユニット３Ｆが、第１風向調整板部２１および第２風向調整板部２２の幅方向に沿って伸びる軸線を中心軸としてＤＲ９方向に回動しつつ、前後方向に平行な方向に沿って伸びる軸線を中心軸として回動できる点において相違し、その他の構成についてはほぼ同様である。
【０１３４】
風向調整ユニット３Ｆは、実施の形態１に係る構成と同様の構成にて駆動モータによって第１風向調整板部２１および第２風向調整板部２２の幅方向に平行な方向に沿って伸びる軸線を中心軸として回動してさせてもよいし、第１風向調整板部２１および第２風向調整板部２２を吹出ダクト１００Ｃに枢支することにより手動にて同方向に沿って伸びる軸線を中心軸として回動させてもよい。
【０１３５】
第１風向調整板部２１および第２風向調整板部２２を吹出ダクト１００Ｃに枢支する場合には、吹出ダクト１００に凹部が設けられ、第１風向調整板部２１および第２風向調整板部２２に当該凹部に回動可能に嵌り合う枢支軸が設けられてもよいし、吹出ダクト１００Ｃに枢支軸が設けられ、第１風向調整板部２１および第２風向調整板部２２に当該枢支軸に回動可能に嵌り合う凹部が設けられていてもよい。
【０１３６】
このような構成とすることにより、本実施の形態に係る送風ユニット２Ｆを具備する送風装置にあっても、実施の形態４に係る送風装置とほぼ同様の効果が得られる。また、本実施の形態に係る送風ユニット２Ｆを具備する送風装置にあっては、風向調整ユニット３Ｆが、第１風向調整板部２１および第２風向調整板部２２の幅方向を中心軸としてＤＲ９方向に回動することもできることから、より外側に向けて広範囲に送風することができる。
【０１３７】
（実施の形態６）
実施の形態２から実施の形態５に係る送風装置においては、吹出ダクト１００Ｃの先端側に位置する第１ダクト１６０を回動させることにより、第１ダクト１６０に取り付けられた風向調整ユニットが第１ダクト１６０と一体となって回動する場合を例示して説明したが、本実施の形態に係る送風装置にあっては、これに限定されず、第１ダクト１６０に対して風向調整ユニットが独立して回動してもよい。
【０１３８】
この場合には、吹出ダクトの開口端部周辺に環状の係合溝部が設けられ、風向調整ユニットには当該係合溝部に回動可能に係合する係合突起が設けられる。このような構成にあっては、風向調整ユニットの係合突起を吹出ダクトの係合溝部に沿って手動で環状に動かすことにより、風向調整ユニットを吹出ダクトの先端側に位置する開口面の法線方向を中心軸として回動させることができる。また、この場合には、風向調整ユニットが第１風向調整板部と第２風向調整板部のみによって構成されていてもよい。
【０１３９】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【０１４０】
１，１Ｃ  送風装置、２Ａ，２Ｂ，２Ｃ，２Ｄ，２Ｅ  送風ユニット、３，３Ａ，３Ｂ，３Ｃ，３Ｄ  風向調整ユニット、４，４Ａ，４Ｂ  ダクト、１０  筐体、１１  吸込口、１２，６２ａ，６２ｂ  収容部、１４，１４Ｃ，１５  開口部、１８Ａ，１８Ｂ  防護網、２０  風向調整部、２１  第１風向調整板部、２１ａ，２２ａ  風向調整面、２２  第２風向調整板部、２３，２４  側面部、２３ａ，８４，８５，９４，９５  係合孔、２５ａ，２５ｂ，２６ａ，２６ｂ，７４，７５，１０８  係合突起、２７  基台部、２７ａ  第１辺部、２７ｂ  第２辺部、２７ｃ  第３辺部、２７ｄ  第４辺部、２８  嵌め込み部、２９，８６，９６  フック部、４０  カバー部、４１  第１カバー、
４２  第２カバー、５１，５１Ａ，５１Ｂ  シロッコファン、５２，５２Ａ，５２Ｂ  送風経路、５３，５３Ａ，５３Ｂ  送風ダクト、６０，６０Ａ，６０Ｂ  イオン発生器、６１  ケース、６２  上部ケース、６３  下部ケース、６４ａ，６４ｂ  送風空間、６５ａ〜６５ｄ  放電電極、６５ｅ  誘導電極、６６  高電圧発生回路部、６８  連通部、６９ａ，６９ｂ  基板、７０，１８０  駆動機構、７１  モータ、７２  駆動回路基板、７３  回動軸、８０，９０  漏気防止部、８１，９１  漏気防止板部、８２，８３，９２，９３  側板部、１００，１００Ａ，１００Ｂ，１００Ｃ  吹出ダクト、１０１〜１０４  側壁部、１０６，１０９  支持部、１０７  段差部、１１１，１１２，１７２  モータ支持部、１１３  切欠き部、１１４，１１５  固定部、１４１，１４２,１４３  ばね、１５２，１５３  ネジ、１６０  第１ダクト、１６１  外周ギア部、１７０  第２ダクト、１８１  ギア部、１８３  駆動モータ。
【図１】
2015075309.tif 000003
【図２】
2015075309.tif 000004
【図３】
2015075309.tif 000005
【図４】
2015075309.tif 000006
【図５】
2015075309.tif 000007
【図６】
2015075309.tif 000008
【図７】
2015075309.tif 000009
【図８】
2015075309.tif 000010
【図９】
2015075309.tif 000011
【図１０】
2015075309.tif 000012
【図１１】
2015075309.tif 000013
【図１２】
2015075309.tif 000014
【図１３】
2015075309.tif 000015
【図１４】
2015075309.tif 000016
【図１５】
2015075309.tif 000017
【図１６】
2015075309.tif 000018
【図１７】
2015075309.tif 000019
【図１８】
2015075309.tif 000020
【図１９】
2015075309.tif 000021
【図２０】
2015075309.tif 000022
【図２１】
2015075309.tif 000023
【図２２】
2015075309.tif 000024
【図２３】
2015075309.tif 000025
【図２４】
2015075309.tif 000026
【図２５】
2015075309.tif 000027
【図２６】
2015075309.tif 000028
【図２７】
2015075309.tif 000029
【図２８】
2015075309.tif 000030
【図２９】
2015075309.tif 000031
【図３０】
2015075309.tif 000032